(57)【要約】【課題】ケーブル配線作業において、許容される曲げ半径未満の曲げ半径でケーブルが配線されることを抑制する。【解決手段】配線作業検査システム１０は、拡張現実表示装置１００と情報処理装置２００を備える。拡張現実表示装置１００は、カメラ１０１と前記カメラ１０１が撮影した画像に他の画像を重畳させた画像を表示する表示部１０２とを有する。前記情報処理装置２００は、前記カメラ１０１が撮影した画像を取得する画像取得部２０４と、前記画像取得部２０４が取得した、ケーブルの端部が配線作業対象の機器に接続された状態を写した画像に基づいて、前記ケーブルの曲げ具合が適切であるか否かを判定する判定部２０６とを有する。【選択図】図１
2020119178.tif 000002
【特許請求の範囲】
【請求項１】
カメラと前記カメラが撮影した画像に他の画像を重畳させた画像を表示する表示部とを有する拡張現実表示装置と、
情報処理装置と
を備え、
前記情報処理装置は、
前記カメラが撮影した画像を取得する画像取得部と、
前記画像取得部が取得した、ケーブルの端部が配線作業対象の機器に接続された状態を写した画像に基づいて、前記ケーブルの曲げ具合が適切であるか否かを判定する判定部と
を有する配線作業検査システム。
【請求項２】
前記情報処理装置は、
許容される所定の曲げ半径で曲げられているケーブルの画像であるケーブル曲げ画像を、前記カメラが撮影した画像に重畳させた画像を生成する重畳画像生成部をさらに有し、
前記拡張現実表示装置の前記表示部は、前記重畳画像生成部が生成した画像を表示する
請求項１に記載の配線作業検査システム。
【請求項３】
前記情報処理装置は、
前記配線作業対象の機器に固有のマーカーの位置を基準とした、配線作業対象のケーブルの差し込み位置を記憶する記憶部をさらに有し、
前記重畳画像生成部は、前記カメラが撮影した画像から前記マーカーを検出し、検出された前記マーカーの位置と、前記記憶部が記憶する前記差し込み位置とに基づいて、前記ケーブル曲げ画像の重畳位置を決定する
請求項２に記載の配線作業検査システム。
【請求項４】
前記重畳画像生成部は、さらに、前記判定部が前記ケーブルの曲げ具合が適切でないと判定した場合、配線作業者に対して警告するための警告画像を前記カメラが撮影した画像に重畳させた画像を生成する
請求項２又は３に記載の配線作業検査システム。
【請求項５】
前記重畳画像生成部は、さらに、前記判定部が前記ケーブルの曲げ具合が適切でないと判定した場合、許容される最小曲げ半径で曲げられているケーブルの画像を前記カメラが撮影した画像に重畳させた画像を生成する
請求項２乃至４のいずれか１項に記載の配線作業検査システム。
【請求項６】
カメラが撮影した画像を取得する画像取得部と、
前記画像取得部が取得した、ケーブルの端部が配線作業対象の機器に接続された状態を写した画像に基づいて、前記ケーブルの曲げ具合が適切であるか否かを判定する判定部と
を有する情報処理装置。
【請求項７】
許容される所定の曲げ半径で曲げられているケーブルの画像であるケーブル曲げ画像を、前記カメラが撮影した画像に重畳させた画像を生成する重畳画像生成部をさらに有する
請求項６に記載の情報処理装置。
【請求項８】
情報処理装置が、
カメラが撮影した画像を取得し、
前記カメラが撮影した、ケーブルの端部が配線作業対象の機器に接続された状態を写した画像に基づいて、前記ケーブルの曲げ具合が適切であるか否かを判定する
配線作業検査方法。
【請求項９】
カメラが撮影した画像を取得する画像取得ステップと、
前記画像取得ステップで取得した、ケーブルの端部が配線作業対象の機器に接続された状態を写した画像に基づいて、前記ケーブルの曲げ具合が適切であるか否かを判定する判定ステップと
をコンピュータに実行させるプログラム。
【発明の詳細な説明】
【技術分野】
【０００１】
本発明は配線作業検査システム、情報処理装置、配線作業検査方法、及びプログラムに関する。
【背景技術】
【０００２】
ケーブルの配線作業を支援する装置が提案されている。例えば、特許文献１では、現実の配設状態情報と、作業対象や作業手順を示す作業指示書に基づく指示上の配設状態情報とを比較して、相違の有無を判定する判定手段を有する光配線盤作業支援システムについて開示している。
【先行技術文献】
【特許文献】
【０００３】
【特許文献１】特開２０１４−１３５６７３号公報
【発明の概要】
【発明が解決しようとする課題】
【０００４】
特許文献１に記載されているような支援システムを用いてケーブルの配線作業を行なったとしても、実際にＩＴ機器を動作させた際に通信品質の問題が内在している可能性がある。その原因として、配線したケーブルの曲げ半径が許容値以下となっていることが考えられる。すなわち、その影響により通信品質の低下を招くという課題がある。
【０００５】
本明細書に開示される実施形態が達成しようとする目的の１つは、ケーブル配線作業において、許容される曲げ半径未満の曲げ半径でケーブルが配線されることを抑制することができる配線作業検査システム、情報処理装置、配線作業検査方法、及びプログラムを提供することにある。
【課題を解決するための手段】
【０００６】
第１の態様にかかる配線作業検査システムは、
カメラと前記カメラが撮影した画像に他の画像を重畳させた画像を表示する表示部とを有する拡張現実表示装置と、
情報処理装置と
を備え、
前記情報処理装置は、
前記カメラが撮影した画像を取得する画像取得部と、
前記画像取得部が取得した、ケーブルの端部が配線作業対象の機器に接続された状態を写した画像に基づいて、前記ケーブルの曲げ具合が適切であるか否かを判定する判定部と
を有する。
【０００７】
第２の態様にかかる情報処理装置は、
カメラが撮影した画像を取得する画像取得部と、
前記画像取得部が取得した、ケーブルの端部が配線作業対象の機器に接続された状態を写した画像に基づいて、前記ケーブルの曲げ具合が適切であるか否かを判定する判定部と
を有する。
【０００８】
第３の態様にかかる配線作業検査方法は、
情報処理装置が、
カメラが撮影した画像を取得し、
前記カメラが撮影した、ケーブルの端部が配線作業対象の機器に接続された状態を写した画像に基づいて、前記ケーブルの曲げ具合が適切であるか否かを判定する。
【０００９】
第４の態様にかかるプログラムは、
カメラが撮影した画像を取得する画像取得ステップと、
前記画像取得ステップで取得した、ケーブルの端部が配線作業対象の機器に接続された状態を写した画像に基づいて、前記ケーブルの曲げ具合が適切であるか否かを判定する判定ステップと
をコンピュータに実行させる。
【発明の効果】
【００１０】
上述の態様によれば、ケーブル配線作業において、許容される曲げ半径未満の曲げ半径でケーブルが配線されることを抑制することができる配線作業検査システム、情報処理装置、配線作業検査方法、及びプログラムを提供することができる。
【図面の簡単な説明】
【００１１】
【図１】実施の形態１にかかる配線作業検査システムの構成の一例を示すブロック図である。
【図２】配線作業情報の一例を示す表である。
【図３】配線作業対象の機器が搭載されているラックの一例を示す模式図である。
【図４】実施の形態１にかかる情報処理装置のハードウェア構成の一例を示すブロック図である。
【図５】実施の形態１にかかる配線作業検査システムの動作の流れの一例を示すフローチャートである。
【図６】ステップＳ１０１において表示部に表示されるＡＲ画像の例を示す模式図である。
【図７】ステップＳ１０５において表示部に表示されるＡＲ画像の例を示す模式図である。
【図８】実施の形態２にかかる配線作業検査システムの構成の一例を示すブロック図である。
【発明を実施するための形態】
【００１２】
＜実施の形態１＞
図１は、実施の形態１にかかる配線作業検査システム１０の構成の一例を示すブロック図である。図１に示すように、配線作業検査システム１０は、拡張現実表示装置１００と、情報処理装置２００とを有する。拡張現実表示装置１００と情報処理装置２００とは通信可能に有線又は無線により接続されている。
【００１３】
拡張現実表示装置１００は、ＡＲ（Ａｕｇｍｅｎｔｅｄ  Ｒｅａｌｉｔｙ）機能を提供する装置であり、そのために、カメラ１０１と、表示部１０２とを有する。例えば、拡張現実表示装置１００は、ケーブルの配線作業者が装着するヘッドセットとして提供される。
【００１４】
表示部１０２は、カメラ１０１が撮影した画像に他の画像を重畳させた画像を表示するディスプレイである。具体的には、表示部１０２は、情報処理装置２００の後述する重畳画像生成部２０５が生成した画像を表示する。配線作業現場の風景がカメラ１０１により撮影され、この撮影映像に任意の画像が重畳された表示画像が表示部１０２に表示される。当該配線作業者は、この表示画像を見ながら、ケーブルの配線作業を行なう。拡張現実表示装置１００は、スマートフォンやタブレット端末などのような、カメラ及びディスプレイを備える携帯端末であってもよい。カメラ１０１は、撮影画像を即時に情報処理装置２００に送信する。
【００１５】
情報処理装置２００は、図１に示すように、機器情報記憶部２０１と、配線作業情報記憶部２０２と、進捗管理部２０３と、画像取得部２０４と、重畳画像生成部２０５と、判定部２０６とを有するサーバである。
【００１６】
機器情報記憶部２０１は、機器ごとに、機器情報を記憶する。機器情報は、機器の識別情報を含む。また、機器情報は、機器に貼付けられる識別マーカーについての情報（以下、識別マーカー情報と称す）を含む。
識別マーカー情報は、機器に貼付けられる識別マーカーにより表される識別情報、当該識別マーカーの当該機器における貼り付け位置、識別マーカーの大きさなどの情報を含む。なお、１つの機器に対し、２以上の識別マーカーが貼付けられていてもよい。この場合、識別マーカー情報は、同じ機器に貼付けられた他の識別マーカーとの距離（以下、マーカー間距離と称す）を含んでもよい。
【００１７】
また、機器情報は、機器に設けられたコネクタについての情報（以下、コネクタ情報と称す）を含む。コネクタ情報は、機器に設けられたコネクタ毎に存在する。コネクタ情報は、コネクタの識別情報を含む。また、コネクタ情報は、コネクタの位置についての情報（以下、コネクタ位置情報と称す）を含む。コネクタ位置情報は、当該機器に貼付けられている識別マーカーの位置を基準とした相対位置情報である。すなわち、機器情報記憶部２０１は、配線作業対象の機器に固有の識別マーカーの位置を基準とした、配線作業対象のケーブルの差し込み位置を記憶しているといえる。
【００１８】
配線作業情報記憶部２０２は、配線作業の内容を示す情報である配線作業情報を記憶する。図２は配線作業情報の一例を示す表である。図２に示すように、配線作業情報は、配線作業毎に存在する。配線作業情報は、「配線作業項番」情報と、「配線作業対象ケーブル」情報と、「配線作業対象機器」情報と、「差し込み先コネクタ」情報と、「最小曲げ半径画像」と、「ガイド用曲げ半径画像」と、「最大曲げ半径画像」とを有する。
【００１９】
「配線作業項番」情報は、配線作業を識別するための識別情報である。「配線作業対象ケーブル」情報は、配線作業対象のケーブルを識別するための識別情報である。「配線作業対象機器」情報は、配線作業対象の機器を識別するための識別情報である。「差し込み先コネクタ」情報は、コネクタの識別情報であり、この情報により、「配線作業対象機器」情報で識別される機器のどのコネクタにケーブルを接続する作業であるかが特定される。
【００２０】
「最小曲げ半径画像」、「ガイド用曲げ半径画像」、及び「最大曲げ半径画像」は、所定の曲げ半径で曲げられているケーブルが表された画像である。以下、これらの画像を、特に区別せずに言及する場合、ケーブル曲げ画像と称す。なお、各画像は、端部から所定の長さまでの範囲のケーブルを表す画像である。そして、これらの画像に表されているケーブルは、この所定の長さ部分が、所定の曲げ半径で曲げられている。
【００２１】
「最小曲げ半径画像」は、配線作業対象のケーブルに対応する規格に従って許容される最小曲げ半径で曲げられているケーブルが表された画像である。なお、最小曲げ半径画像の曲げ半径は、規格に従って許容される最小曲げ半径でなくてもよい。すなわち、最小曲げ半径画像のケーブルの曲げ半径は、ユーザにより指定された予め定められた最小の曲げ半径であってもよい。
「最大曲げ半径画像」は、ラックへのケーブルの収納の観点などに従って予め定められた最大曲げ半径で曲げられているケーブルが表された画像である。
「ガイド用曲げ半径画像」は、許容される曲げ具合の一例を示す画像であり、許容される最小曲げ半径よりも大きい所定の曲げ半径で曲げられているケーブルが表された画像である。ただし、この所定の曲げ半径は、上述の最大曲げ半径よりも小さい。「ガイド用曲げ半径画像」は、配線作業の際に、ＡＲ機能により配線作業者に提示される。
【００２２】
進捗管理部２０３は、配線作業の進捗を管理する。進捗管理部２０３は、配線作業情報記憶部２０２に記憶された配線作業情報で表される配線作業がどこまで進んでいるかを管理する。進捗管理部２０３は、判定部２０６がケーブルの曲げ具合が適切であると判定した場合、現在の配線作業が完了したと判断し、次の配線作業項番の配線作業を作業対象の配線作業と特定する。このように、進捗管理部２０３は、現在の作業対象の配線作業についての配線作業情報を特定する。
【００２３】
画像取得部２０４は、拡張現実表示装置１００のカメラ１０１が撮影した画像を取得する。すなわち、画像取得部２０４は、拡張現実表示装置１００から送信された撮影画像を取得する。より詳細には、この撮影画像は、配線作業対象の機器及びケーブルなどを含む配線作業現場の風景を撮影した画像である。なお、配線作業対象の機器とは、配線作業によりケーブルが新たに接続されるＩＴ（Ｉｎｆｏｒｍａｔｉｏｎ  Ｔｅｃｈｎｏｌｏｇｙ）機器である。また、配線作業対象のケーブルとは、配線作業により新たに機器に接続されるケーブル、換言すると、配線作業により機器のコネクタに新たに差し込まれるケーブルである。
【００２４】
画像取得部２０４は、カメラ１０１が撮影した画像をリアルタイムに取得するので、機器へのケーブルの接続が行なわれる前の機器周辺の風景の画像、及び機器へのケーブルの接続が行なわれた後の機器周辺の風景の画像を含む様々な画像を取得する。すなわち、本実施の形態では、画像取得部２０４は、配線作業対象のケーブルの端部が配線作業対象の機器に接続される前の状態を写した画像を取得するし、配線作業対象のケーブルの端部が配線作業対象の機器に接続された状態を写した画像も取得する。
【００２５】
ここで、配線作業対象の機器には、機器ごとに固有の識別マーカーが所定の位置に貼付けられている。この識別マーカーは、例えば、二次元コードである。すなわち、識別マーカーにより当該識別マーカーが貼付けられている機器を特定することができる。
【００２６】
図３は、配線作業対象の機器が搭載されているラックの一例を示す模式図である。図３では、ラック９０に、機器９１が搭載されている。また、各機器９１において、ケーブルの接続が可能なコネクタ９３が配置された面の所定の位置（例えば、角）には、識別マーカー９２が貼付けられている。なお、識別マーカー９２は、図３に示すように、１つの機器に対し、複数貼付けられていてもよいが、１つだけ貼付けられていてもよい。
【００２７】
重畳画像生成部２０５は、所定の画像を、カメラ１０１が撮影した画像に、重畳させた画像、すなわち、ＡＲ画像を生成する。そして、重畳画像生成部２０５は、生成した画像を、拡張現実表示装置１００の表示部１０２に出力する。これにより、拡張現実表示装置１００の表示部１０２は、重畳画像生成部２０５が生成した画像を表示する。つまり、重畳画像生成部２０５は、カメラ１０１が撮影したリアルタイムの映像に、任意の画像を重畳させたＡＲ画像を生成する。なお、以下の説明では、カメラ１０１が撮影した画像に重畳される画像を追加画像と称す。
【００２８】
重畳画像生成部２０５は、縮尺決定部２１５及び重畳位置決定部２２５を有する。
縮尺決定部２１５は、カメラ１０１が撮影した画像に重畳する際の追加画像の縮尺を決定する。すなわち、縮尺決定部２１５は、追加画像の倍率を決定する。重畳画像生成部２０５は、縮尺決定部２１５により決定された倍率の追加画像を、カメラ１０１が撮影した画像に重畳することにより、表示部１０２に表示するＡＲ画像を生成する。
【００２９】
縮尺決定部２１５は、画像取得部２０４が取得した画像（すなわち、カメラ１０１が撮影した画像）に写されている識別マーカーに対応する識別マーカー情報を参照し、追加画像の縮尺を決定する。例えば、縮尺決定部２１５は、識別マーカー情報として記憶されている識別マーカーの大きさと、実際にカメラ１０１が撮影した画像に写されている識別マーカーの大きさとを比較する。そして、これにより、縮尺決定部２１５は、実際の識別マーカーの大きさに対する画像内の識別マーカーの大きさの倍率を決定する。その上で、縮尺決定部２１５は、この倍率に従って、追加画像の縮尺（すなわち倍率）を決定する。
【００３０】
また、縮尺決定部２１５は、次のように、追加画像の縮尺を決定してよい。
縮尺決定部２１５は、識別マーカー情報として記憶されているマーカー間距離と、実際にカメラ１０１が撮影した画像に写されている２つの識別マーカーのマーカー間距離とを比較する。そして、これにより、縮尺決定部２１５は、実際の識別マーカーの大きさに対する画像内の識別マーカーの大きさの倍率を決定する。その上で、縮尺決定部２１５は、この倍率に従って、追加画像の縮尺（すなわち倍率）を決定する。
【００３１】
重畳位置決定部２２５は、カメラ１０１の撮影画像に対する追加画像の重畳位置を決定する。
特に、追加画像が、ケーブル曲げ画像である場合、当該ケーブルの端部の位置が、画像上で、配線作業対象のコネクタの位置（すなわち、ケーブル差し込み位置）となるよう重畳位置を決定する。このため、重畳位置決定部２２５は、カメラ１０１が撮影した画像から識別マーカーを検出し、検出された識別マーカーの位置と、機器情報記憶部２０１が記憶するコネクタ位置情報とに基づいて、追加画像の重畳位置を決定する。すなわち、重畳位置決定部２２５は、識別マーカーを基準とした差し込み位置の相対位置情報を用いて、追加画像の重畳位置を決定する。
重畳画像生成部２０５は、進捗管理部２０３により特定された現在の作業についての配線作業情報に対応するケーブル曲げ画像を重畳する。
【００３２】
重畳画像生成部２０５は、配線作業の際、許容される所定の曲げ半径で曲げられているケーブルの画像を、カメラ１０１が撮影した画像に重畳させた画像をＡＲ画像として生成する。すなわち、重畳画像生成部２０５は、ガイド用曲げ半径画像を縮尺決定部２１５により決定された倍率で拡大又は縮小した画像を、重畳位置決定部２２５により決定された位置に重畳する。なお、重畳画像生成部２０５は、配線作業の際、ガイド用曲げ半径画像ではなく、最小曲げ半径画像をカメラ１０１が撮影した画像に重畳させてもよい。また、重畳画像生成部２０５は、配線作業の際、ガイド用曲げ半径画像、及び、最小曲げ半径画像を、カメラ１０１が撮影した画像に重畳させてもよい。
【００３３】
また、重畳画像生成部２０５は、判定部２０６がケーブルの曲げ具合が適切でないと判定した場合、許容される最小曲げ半径で曲げられているケーブルの画像をカメラ１０１が撮影した画像に重畳させた画像をＡＲ画像として生成する。すなわち、重畳画像生成部２０５は、最小曲げ半径画像を縮尺決定部２１５により決定された倍率で拡大又は縮小した画像を、重畳位置決定部２２５により決定された位置に重畳する。なお、重畳画像生成部２０５は、配線作業の際、最小曲げ半径画像だけでなく、最大曲げ半径画像も、カメラ１０１が撮影した画像に重畳させてもよい。
【００３４】
なお、追加画像が、警告画像である場合、重畳位置決定部２２５は、カメラ１０１の撮影画像における所定の位置を当該追加画像の重畳位置とすればよい。警告画像は、判定部２０６が、ケーブルの曲げ具合が適切でないと判定した場合、配線作業者に対して警告するための画像である。このように、重畳画像生成部２０５は、判定部２０６がケーブルの曲げ具合が適切でないと判定した場合、警告画像をカメラ１０１が撮影した画像に重畳させた画像をＡＲ画像として生成する。
【００３５】
判定部２０６は、画像取得部２０４が取得した、ケーブルの端部が配線作業対象の機器に接続された状態を写した画像に基づいて、接続されたケーブルの曲げ具合が適切であるか否かを判定する。例えば、判定部２０６は、許容される最小曲げ半径で曲げられているケーブルの画像と、画像取得部２０４が取得した、ケーブルの端部が配線作業対象の機器に接続された状態を写した画像とを比較することにより、判定を行なう。
【００３６】
配線作業対象のケーブルの端部が配線作業対象の機器に接続された状態を写した画像は、進捗管理部２０３により特定された配線作業情報で指定されたコネクタに接続されているケーブルの画像ということもできる。許容される最小曲げ半径とは、例えば、当該ケーブルの規格に従って予め規定されている最小曲げ半径である。許容される最小曲げ半径で曲げられているケーブルの画像は、具体的には、進捗管理部２０３により特定された、現在の作業についての配線作業情報に対応する最小曲げ半径画像である。
【００３７】
判定部２０６は、進捗管理部２０３により特定された配線作業情報の「差し込み先コネクタ」情報で指定されたコネクタのコネクタ位置情報と、画像取得部２０４が取得したカメラ１０１の画像に写されている識別マーカーとを用いて、ケーブルの画像認識をする。すなわち、判定部２０６は、コネクタ位置情報とカメラ１０１の画像に写されている識別マーカーとに基づいて、当該画像に写された配線作業対象のケーブルを画像認識する。上述の通り、各コネクタについて、識別マーカーを基準とした位置情報であるコネクタ位置情報が記憶されている。このため、判定部２０６は、画像認識処理により、カメラ１０１の画像における作業対象のコネクタを認識し、当該コネクタから延びる線の画像を作業対象のケーブルの画像として抽出する。そして、判定部２０６は、作業対象のケーブルの画像と、最小曲げ半径画像とを比較し、作業対象のケーブルの画像で表されるケーブルの曲げ半径が、最小曲げ半径以上であるか否かを判定する。なお、作業対象のケーブルの画像で表されるケーブルの曲げ半径が、最小曲げ半径以上であるか否の判定には、任意の画像処理技術を用いることができる。例えば判定部２０６は、各画像のケーブルの弧長（円弧の長さ）及び弦長（円弧の両端の直線距離）から各画像のケーブルの曲げ半径を算出することにより、作業対象のケーブルの画像で表されるケーブルの曲げ半径が、最小曲げ以上であるか否かを判定してもよい。
【００３８】
次に、情報処理装置２００のハードウェア構成の一例について説明する。図４は、情報処理装置２００のハードウェア構成の一例を示すブロック図である。図４に示すように、情報処理装置２００は、例えば、ネットワークインタフェース２５０、メモリ２５１、及びプロセッサ２５２を含む。
【００３９】
ネットワークインタフェース２５０は、拡張現実表示装置１００などの他の装置と通信するために使用される。ネットワークインタフェース２５０は、例えば、ネットワークインタフェースカード（ＮＩＣ）を含んでもよい。
【００４０】
メモリ２５１は、例えば、揮発性メモリ及び不揮発性メモリの組み合わせによって構成される。なお、情報処理装置２００は、メモリ２５１の他にハードディスクなどの記憶装置を有してもよい。機器情報記憶部２０１及び配線作業情報記憶部２０２は、例えば、メモリ２５１又は記憶装置により実現される。
【００４１】
メモリ２５１は、プロセッサ２５２により実行される、１以上の命令を含むソフトウェア（コンピュータプログラム）などを格納するために使用される。
このプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌe  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Ｃｏｍｐａｃｔ  Ｄｉｓｃ  Ｒｅａｄ  Ｏｎｌｙ  Ｍｅｍｏｒｙ（ＣＤ−ＲＯＭ）、ＣＤ−Ｒ、ＣＤ−Ｒ／Ｗ、半導体メモリ（例えば、マスクＲＯＭ、Ｐｒｏｇｒａｍｍａｂｌｅ  ＲＯＭ（ＰＲＯＭ）、Ｅｒａｓａｂｌｅ  ＰＲＯＭ（ＥＰＲＯＭ）、フラッシュＲＯＭ、Ｒａｎｄｏｍ  Ａｃｃｅｓｓ  Ｍｅｍｏｒｙ（ＲＡＭ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４２】
プロセッサ２５２は、メモリ２５１からソフトウェア（コンピュータプログラム）を読み出して実行することで、上述した情報処理装置２００の処理を行う。すなわち、進捗管理部２０３、画像取得部２０４、重畳画像生成部２０５、及び判定部２０６の各処理は、プログラムの実行により実現されてもよい。このように、情報処理装置２００は、コンピュータとしての機能を備えている。プロセッサ２５２は、例えば、マイクロプロセッサ、ＭＰＵ(Ｍｉｃｒｏ  Ｐｒｏｃｅｓｓｏｒ  Ｕｎｉｔ)、又はＣＰＵ(Ｃｅｎｔｒａｌ  Ｐｒｏｃｅｓｓｉｎｇ  Ｕｎｉｔ)などであってもよい。プロセッサ２５２は、複数のプロセッサを含んでもよい。
【００４３】
なお、拡張現実表示装置１００も、図４に示すような構成を備えてもよい。すなわち、拡張現実表示装置１００もコンピュータとしての機能を有し、プロセッサが、メモリからソフトウェア（コンピュータプログラム）を読み出して実行することで、各種の処理が実行されてもよい。
【００４４】
次に、配線作業検査システム１０の動作の流れについて説明する。図５は、配線作業検査システム１０の動作の流れの一例を示すフローチャートである。以下、図５を参照しつつ、配線作業検査システム１０の動作を説明する。
【００４５】
ステップＳ１００において、進捗管理部２０３が、作業対象の配線作業に関する配線作業情報を特定する。作業の開始時の場合、進捗管理部２０３は、配線作業情報記憶部２０２に記憶された配線作業情報のうち、最初の配線作業項番の配線作業情報を、作業対象の配線作業に関する配線作業情報と特定する。また、作業中は、進捗管理部２０３は、判定部２０６が判定対象のケーブルの曲げ具合が適切であると判定した場合、現在の配線作業が完了したと判断し、次の配線作業項番の配線作業を作業対象の配線作業と特定する。
【００４６】
ステップＳ１０１において、重畳画像生成部２０５は、配線作業をサポートするためのＡＲ画像を生成する。ステップＳ１０１では、重畳画像生成部２０５は、許容される所定の曲げ半径で曲げられているケーブルの画像を、カメラ１０１が撮影した画像に重畳させた画像をＡＲ画像として生成する。このため、縮尺決定部２１５が、カメラ１０１が撮影した画像に重畳する際の追加画像の縮尺を決定し、重畳位置決定部２２５が、カメラ１０１の撮影画像に対する追加画像の重畳位置を決定する。例えば、重畳画像生成部２０５は、ガイド用曲げ半径画像を縮尺決定部２１５により決定された倍率で拡大又は縮小した画像を、重畳位置決定部２２５により決定された位置に重畳する。これにより、拡張現実表示装置１００の表示部１０２は、重畳画像生成部２０５が生成した画像を表示する。
【００４７】
図６は、ステップＳ１０１において表示部１０２に表示されるＡＲ画像５０の例を示す模式図である。図６に示した例では、ガイド用曲げ半径画像５１が、配線作業対象のコネクタ９３Ａの位置にケーブルの端部が位置するように表示されている。
【００４８】
なお、図６に示した例では、ガイド用曲げ半径画像５１で表されるケーブルは下向きに曲がっているが、ケーブルが他の方向に曲げられている画像でもよい。すなわち、当該配線作業に対応する配線作業情報に関連づけられているケーブル曲げ画像が、ケーブルが他の向き（例えば、上向き）に曲げられたケーブルの画像であれば、その向きに曲がったケーブルが表示される。このことは、後述する図７においても同様である。なお、配線作業情報記憶部２０２には、配線作業情報として、接続先のコネクタの位置や配線経路などを考慮して決められた方向に曲げられたケーブルの画像が予め登録されている。
【００４９】
次に、ステップＳ１０２において、配線作業者により、配線作業が行なわれる。配線作業者は、ステップＳ１０１で表示されたＡＲ画像を参考にしながら、配線作業を行なう。配線作業が行なわれると、例えば、判定部２０６により、配線作業対象のコネクタ９３Ａの位置にケーブルが接続されたことが画像認識され、処理がステップＳ１０３へ移行する。なお、配線作業者が、ケーブルの接続が完了したことを示す入力操作を拡張現実表示装置１００に設けられた入力インタフェースを用いて行なってもよい。この場合、ケーブルの接続を行なったことを示す信号が情報処理装置２００に送信され、処理はステップＳ１０３へ移行する。
【００５０】
次に、ステップＳ１０３において、判定部２０６は、画像取得部２０４が取得した、ケーブルの端部が配線作業対象の機器に接続された状態を写した画像に基づいて、接続されたケーブルの曲げ具合が適切であるか否かを判定する。
【００５１】
曲げ具合が適切ではない場合（ステップＳ１０４でＮｏ）、すなわち、作業者によって接続されたケーブルの曲げ半径が許容される曲げ半径未満である場合、処理はステップＳ１０５へ移行する。曲げ具合が適切である場合（ステップＳ１０４でＹｅｓ）、すなわち、作業者によって接続されたケーブルの曲げ半径が許容される曲げ半径以上である場合、処理はステップＳ１０６へ移行する。
【００５２】
ステップＳ１０５において、重畳画像生成部２０５は、配線作業のやり直しを促すためのＡＲ画像を生成する。ステップＳ１０５では、重畳画像生成部２０５は、許容される最小曲げ半径で曲げられているケーブルの画像及び所定の警告画像をカメラ１０１が撮影した画像に重畳させた画像をＡＲ画像として生成する。このため、縮尺決定部２１５が、カメラ１０１が撮影した画像に重畳する際の追加画像の縮尺を決定し、重畳位置決定部２２５が、カメラ１０１の撮影画像に対する追加画像の重畳位置を決定する。上述の通り、重畳画像生成部２０５は、最小曲げ半径画像だけでなく、最大曲げ半径画像も、カメラ１０１が撮影した画像に重畳させてもよい。これにより、拡張現実表示装置１００の表示部１０２は、重畳画像生成部２０５が生成した画像を表示する。
【００５３】
図７は、ステップＳ１０５において表示部１０２に表示されるＡＲ画像５５の例を示す模式図である。図７に示した例では、最小曲げ半径画像５６及び最大曲げ半径画像５７が、配線作業対象のコネクタ９３Ａの位置にケーブルの端部が位置するように表示されているとともに、警告画像５８が画面内の所定の位置に配置されている。なお、図７において、実際に作業者によって配線されたケーブルは、ケーブル９４として図示されている。
【００５４】
ステップＳ１０５の後、フローは、ステップＳ１０２に戻る。すなわち、作業者は、ステップＳ１０５の表示に従って、配線作業をやり直す。その後、上述したステップＳ１０３以降の処理が繰り返される。
【００５５】
ステップＳ１０６では、進捗管理部２０３は、全ての配線作業が終了したか否かを判定する。すなわち、進捗管理部２０３は、配線作業情報記憶部２０２に記憶された全ての配線作業情報に対応する作業が終了しているか否かを判定する。全ての配線作業が終了していない場合（ステップＳ１０６でＮｏ）、処理はステップＳ１００に戻り、上述した処理が繰り返される。全ての配線作業が終了している場合（ステップＳ１０６でＹｅｓ）、処理は終了する。
【００５６】
以上、実施の形態１について説明した。本実施の形態では、情報処理装置２００の判定部２０６により、配線済みのケーブルの曲げ半径が適切であるかが画像に基づいて判定される。このため、許容される曲げ半径未満の曲げ半径でケーブルが配線されることを抑制することができる。つまり、曲げ半径が小さすぎることによる通信品質の劣化を抑制することができる。
【００５７】
また、許容される所定の曲げ半径で曲げられているケーブルの画像が重畳された映像が表示部１０２に表示される（ステップＳ１０１、ステップＳ１０５参照）。このため、配線作業者は、適切な曲げ具合を把握した上で、実際の作業を行なうことができる。したがって、不適切な配線を抑制することができる。
【００５８】
また、特に、配線作業対象のコネクタの位置にケーブルの端部が位置するように画像が重畳される。このため、配線作業者は、配線作業対象のコネクタの位置を容易に把握することができる。
【００５９】
また、実際に施行されたケーブルの配線状況が不適切である場合には、警告画像が重畳された映像が表示部１０２に表示される（ステップＳ１０５参照）。このため、作業者に配線作業のやり直しを促すことができる。
【００６０】
＜実施の形態２＞
実施の形態２は、実施の形態１で示した様々な構成要素の一部を用いた実施の形態である。実施の形態２によっても、曲げ半径が小さすぎることによる通信品質の劣化を抑制することができる。なお、以下の説明では、実施の形態１と同一の構成要素には同一の符号を用い、必要に応じて重複説明は省略する。
【００６１】
図８は、実施の形態２にかかる配線作業検査システム２０の構成の一例を示すブロック図である。図８に示すように、配線作業検査システム２０は、拡張現実表示装置１００と、情報処理装置３００とを有する。拡張現実表示装置１００と情報処理装置３００とは通信可能に有線又は無線により接続されている。
【００６２】
情報処理装置３００は、図１に示すように画像取得部３０１と、判定部３０２とを有するサーバである。
画像取得部３０１は、拡張現実表示装置１００のカメラ１０１が撮影した画像を取得する。すなわち、画像取得部３０１は、拡張現実表示装置１００から送信された撮影画像を取得する。特に、画像取得部３０１は、配線作業対象のケーブルの端部が配線作業対象の機器に差し込まれた状態を写した画像を取得する。つまり、配線作業者が当該ケーブルの配線を実施した後の当該ケーブルの当該機器への差し込み状態を撮影した画像が、拡張現実表示装置１００のカメラ１０１により撮影され、情報処理装置３００に送信され、画像取得部３０１に取得される。
【００６３】
判定部３０２は、画像取得部３０１が取得した、ケーブルの端部が配線作業対象の機器に接続された状態を写した画像に基づいて、当該ケーブルの曲げ具合が適切であるか否かを判定する。
【００６４】
実施の形態２にかかる配線作業検査システム２０では、情報処理装置３００の判定部３０２により、画像に基づいて、配線済みのケーブルの曲げ半径が適切であるかが判定される。このため、許容される曲げ半径未満の曲げ半径でケーブルが配線されることを抑制することができる。つまり、曲げ半径が小さすぎることによる通信品質の劣化を抑制することができる。
【００６５】
なお、本発明は上記実施の形態に限られたものではなく、趣旨を逸脱しない範囲で適宜変更することが可能である。
【符号の説明】
【００６６】
１０    配線作業検査システム
２０    配線作業検査システム
５０    ＡＲ画像
５１    ガイド用曲げ半径画像
５５    ＡＲ画像
５６    最小曲げ半径画像
５７    最大曲げ半径画像
５８    警告画像
９０    ラック
９１    機器
９２    識別マーカー
９３    コネクタ
９３Ａ    コネクタ
９４    ケーブル
１００    拡張現実表示装置
１０１    カメラ
１０２    表示部
２００    情報処理装置
２０１    機器情報記憶部
２０２    配線作業情報記憶部
２０３    進捗管理部
２０４    画像取得部
２０５    重畳画像生成部
２０６    判定部
２１５    縮尺決定部
２２５    重畳位置決定部
２５０    ネットワークインタフェース
２５１    メモリ
２５２    プロセッサ
３００    情報処理装置
３０１    画像取得部
３０２    判定部
【図１】
2020119178.tif 000003
【図２】
2020119178.tif 000004
【図３】
2020119178.tif 000005
【図４】
2020119178.tif 000006
【図５】
2020119178.tif 000007
【図６】
2020119178.tif 000008
【図７】
2020119178.tif 000009
【図８】
2020119178.tif 000010